(57)【要約】【課題】対物レンズをフォーカス方向、トラック方向、チルト角方向の三軸駆動する光ヘッドの対物レンズ駆動装置を、コンパクトな構成で安価に構成でき且つ安定した動作特性が得られるようにする。【解決手段】対物レンズを保持するレンズホルダ１２と、該レンズホルダ１２の２つの側面１２ａ，１２ｂに３個ずつ設けられるコイルＴｒ１，Ｆ１１，Ｆ２１，Ｔｒ２，Ｆ２１，Ｆ２２と、これらコイルに電流を供給するとともに上記レンズホルダ１２を支持する第１〜第３のワイヤＷ１〜Ｗ３およびコモンワイヤＷ４と、上記コイルの部位に磁場を発生させる磁石３１，３２とを備え、上記複数のコイルを、上記第１ワイヤＷ１とコモンワイヤＷ４との間に接続される第１系統のコイルＦ１１，Ｆ１２と、第２ワイヤＷ２とコモンワイヤＷ４との間に接続される第２系統のコイルＦ２１，Ｆ２２と、第３ワイヤＷ３とコモンワイヤＷ４との間に接続される第３系統のコイルＴｒ１，Ｔｒ２とから構成する。【選択図】        図１
2004326885.tif 000002
【特許請求の範囲】
【請求項１】
対物レンズを保持するレンズホルダと、
互いに同じ大きさの角型扁平コイルからなりレンズホルダの一方の側面と他方の側面にそれぞれ３個ずつ設けられこれら各側面においてフォーカス方向と垂直な方向に２個並んで設けられた第１系統のコイルおよび第２系統のコイルならびにこれら第１系統のコイルと第２系統のコイルの中央位置よりフォーカス方向へ変位した位置に設けられた第３系統のコイルと、
上記レンズホルダを支持するとともに対応するコイルに電流を供給するため上記第１系統のコイルが間に接続された第１ワイヤおよびコモンワイヤ、上記第２系統のコイルが上記コモンワイヤとの間に接続された第２ワイヤ、並びに、上記第３系統のコイルが上記コモンワイヤとの間に接続された第３ワイヤと、
上記コイルが設けられる上記レンズホルダの両側面にそれぞれ対向するように２個設けられ、それぞれがレンズホルダに対向する面において互いに直交するｘ軸とｙ軸により４つの領域に分けられ隣合う領域が異種極となるように各領域がＮ極とＳ極に磁化された一体的な強磁性体からなり、上記ｘ軸が上記第１系統のコイルと上記第２系統のコイルの両中心点を結ぶ直線と対向し、上記ｙ軸が上記第３系統のコイルの中心を通る直線と対向するように配置された磁石とを備え、上記第１ワイヤと上記第２ワイヤに流れる電流の加算値又は減算値によりフォーカス方向の駆動量が制御され、上記第１ワイヤと上記第２ワイヤに流れる電流の減算値又は加算値によりチルト角方向の駆動量が制御され、上記第３ワイヤに流れる電流によりトラック方向の駆動量が制御されるように構成されていることを特徴とする光ヘッドの対物レンズ駆動装置。
【請求項２】
対物レンズを保持するレンズホルダと、該レンズホルダの側面に設けられた複数のコイルと、該コイルに電流を供給するとともに上記レンズホルダを支持する複数のワイヤと、上記コイルの部位に磁場を発生させる磁石とを備えた光ヘッドの対物レンズ駆動装置において、
上記複数のワイヤは、第１ワイヤ〜第３ワイヤとコモンワイヤの４本のワイヤからなるとともに、
上記複数のコイルは、上記第１ワイヤとコモンワイヤとの間に接続された第１系統のコイルと、第２ワイヤとコモンワイヤとの間に接続された第２系統のコイルと、第３ワイヤとコモンワイヤとの間に接続された第３系統のコイルとからなり、
上記第１ワイヤ、第２ワイヤ、第３ワイヤにそれぞれ流される３つの電流により上記レンズホルダをフォーカス方向、チルト角方向、トラッキング方向にそれぞれ独立的に駆動可能に構成されていることを特徴とする光ヘッドの対物レンズ駆動装置。
【請求項３】
上記第１系統〜第３系統のコイルは各系統ごとに２個のコイルからなり、各系統ごとに１個のコイルが上記レンズホルダの一方の側面に、もう１個のコイルが上記レンズホルダの他方の側面に設けられていることを特徴とする請求項２記載の光ヘッドの対物レンズ駆動装置。
【請求項４】
上記レンズホルダの一つの側面において、上記第１系統のコイルと上記第２系統のコイルとはフォーカス方向と垂直な方向に並んで設けられ、上記第３系統のコイルは上記第１系統のコイルと上記第２系統のコイルの中央位置よりフォーカス方向へ変位した位置に設けられていることを特徴とする請求項２又は３に記載の光ヘッドの対物レンズ駆動装置。
【請求項５】
上記磁石は、一方の面において互いに直交するｘ軸とｙ軸により４つの領域に分けられ隣合う領域が異種極となるように各領域がＮ極とＳ極に磁化された一体的な強磁性体からなり、上記一方の面が上記コイルが設けられたレンズホルダの側面に対向するとともに、且つ、上記ｘ軸が上記第１系統のコイルと上記第２系統のコイルの両中心点を結ぶ直線と対向し、上記ｙ軸が上記第３系統のコイルの中心点を通る直線と対向するように配置されることを特徴とする請求項４記載の光ヘッドの対物レンズ駆動装置。
【請求項６】
上記第１ワイヤと上記第２ワイヤに流れる電流の加算値又は減算値によりフォーカス方向の駆動量が制御され、上記第１ワイヤと上記第２ワイヤに流れる電流の減算値又は加算値によりチルト角方向の駆動量が制御され、上記第３ワイヤに流れる電流によりトラック方向の駆動量が制御されることを特徴とする請求項４又は５に記載の光ヘッドの対物レンズ駆動装置。
【請求項７】
上記複数のコイルは同じ大きさの角型扁平コイルであることを特徴とする請求項２〜６の何れかに記載の光ヘッドの対物レンズ駆動装置。
【発明の詳細な説明】
【０００１】
【発明の属する技術分野】
この発明は、光ディスクや光磁気ディスクのディスクドライブ装置に備わる光ヘッドの対物レンズ駆動装置に関し、特にチルト角の調整を要する高開口数レンズを使用した光ヘッドの対物レンズ駆動装置に関する。
【０００２】
【従来の技術】
光ディスクドライブ装置において光ヘッドの対物レンズを光のフォーカス方向およびディスク上のデータ列と直交するディスクの半径方向（トラック方向）にそれぞれ変位させて位置補正を図る技術は以前より知られている。
【０００３】
フォーカス方向とトラック方向に補正を行う構成としては、特許文献１や特許文献２に示されるように、対物レンズを保持するレンズホルダの側面にコイルを設ける一方、レンズホルダの外側に磁石を設け、さらに、レンズホルダをフォーカス方向とトラック方向へ変位可能なようにワイヤで支持するとともに、このワイヤを介して上記のコイルに電流を流すようにしたものがある。このような構成によりコンパクトに且つ安価に位置補正可能な構成を実現できる。
【０００４】
また、このような構成を有する位置補正においては、フォーカス補正用の電流を流す一対のワイヤと、トラック補正用の電流を流す一対のワイヤと、合計４本のワイヤを用いるのが一般であり、このような４本のワイヤによるレンズホルダの支持は比較的安定した状態で支持および位置補正を行うことが出来る。
【０００５】
ところで、高速に記録再生を行うディスクドライブ装置では、出射光量を大きくするため光ヘッドに高開口数の対物レンズを用いる必要がある。高開口数レンズを用いる場合、ディスクの反りなどに起因するディスク面と光軸との僅かな傾きがビームの絞りに悪影響を与えるため、上記のフォーカス方向とトラック方向の位置補正に加えてディスクの半径方向の傾きに合わせて対物レンズの傾き角（チルト角方向）の補正を行う必要性があることが知られている。
【０００６】
【特許文献１】
特開平８−２７３１７６号公報
【特許文献２】
特開２００１−２２９５５４号公報
【０００７】
【発明が解決しようとする課題】
従来、フォーカス方向、トラック方向、チルト角方向の三軸の補正を行う光ヘッドには、次のようなものがあった。すなわち、特許文献１や特許文献２に示されるようなフォーカス方向とトラック方向の位置補正を行う構成の全体を、チルト角方向に変位可能な基板上に設置し、この基板をムービングマグネット方式（固定されたコイルと変位可能なマグネットによる駆動方式）等によりチルト角方向へ回転駆動するようにしたものである。
【０００８】
しかしながら、このような構成では対物レンズ駆動機構が大型になってしまい、光ヘッドのコストの高騰を招くという問題が生じる。
また、レンズホルダに、フォーカス方向とトラック方向の補正を行うコイルとは別個に、傾斜角の補正を可能とする特殊なコイルを設けるとともに、このコイルに電流を流すためにワイヤを２本追加した構成も提案されている。
【０００９】
しかしながら、このような構成では、傾斜角方向の駆動力を生みさらに取付け容易なように薄型構造の特殊なコイルが必要であり、それにより部品コストが高騰するという問題があった。さらに、三軸の駆動に６本のワイヤが必要となり、４本ワイヤ構成に比べてその組み付けが困難になるという問題が生じる。すなわち、レンズホルダを支持するワイヤはそれぞれの張りを一定にして組み付けなければならないが、６本ワイヤの場合には各ワイヤが互いに干渉してその張りを一定にするのが難しい。そして、各ワイヤの張りのバラツキにより安定した動作特性が得られ難いという問題が生じる。
【００１０】
この発明の目的は、対物レンズをフォーカス方向、トラック方向、チルト角方向の三軸駆動する光ヘッドの対物レンズ駆動装置を、コンパクトな構成で安価に構成でき且つ安定した動作特性が得られるようにすることである。
【００１１】
【課題を解決するための手段】
本発明は、上記目的を達成するため、対物レンズを保持するレンズホルダと、該レンズホルダの側面に設けられた複数のコイルと、該コイルに電流を供給するとともに上記レンズホルダを支持する複数のワイヤと、上記コイルの部位に磁場を発生させる磁石とを備えた光ヘッドの対物レンズ駆動装置において、上記複数のワイヤは、第１ワイヤ〜第３ワイヤとコモンワイヤの４本のワイヤからなるとともに、上記複数のコイルは、上記第１ワイヤとコモンワイヤとの間に接続された第１系統のコイルと、第２ワイヤとコモンワイヤとの間に接続された第２系統のコイルと、第３ワイヤとコモンワイヤとの間に接続された第３系統のコイルとからなり、上記第１〜第３ワイヤにそれぞれ流される３つの電流により上記レンズホルダをトラッキング方向、フォーカス方向、チルト角方向にそれぞれ独立的に駆動可能に構成したものである。
【００１２】
このような手段により、レンズホルダのコイルと外側の磁石で三軸の駆動が可能であり、且つレンズホルダを４本のワイヤによる支持構成とすることが出来る。それにより、コンパクト化および製造コストの低減を実現し且つ安定した動作特性を得ることが出来る。
【００１３】
具体的には、上記第１系統〜第３系統のコイルは各系統ごとに２個のコイルからなり、各系統ごとに１個のコイルが上記レンズホルダの一方の側面に、もう１個のコイルが上記レンズホルダの他方の側面に設けるようにすると良い。
このような構成により、レンズホルダの両側面から駆動力が得られさらに安定した動作特性を得ることが出来る。
【００１４】
さらに具体的には、上記レンズホルダの一つの側面において、上記第１系統のコイルと上記第２系統のコイルとはフォーカス方向と垂直な方向に並んで設けられ、上記第３系統のコイルは上記第１系統のコイルと上記第２系統のコイルの中央位置よりフォーカス方向へ変位した位置に設けると良い。
このような構成により、必要最小限のコイルの個数で３軸の駆動が可能となり、コストをより低くすることが出来る。
【００１５】
また、上記磁石は、一方の面において互いに直交するｘ軸とｙ軸により４つの領域に分けられ隣合う領域が異種極となるように各領域がＮ極とＳ極に磁化された一体的な強磁性体からなり、上記一方の面が上記コイルが設けられたレンズホルダの側面に対向するとともに、且つ、上記ｘ軸が上記第１系統のコイルと上記第２系統のコイルの両中心点を結ぶ直線と対向し、上記ｙ軸が上記第３系統のコイルの中心点を通る直線と対向するように配置すると良い。
このような構成により、上記第１ワイヤと上記第２ワイヤに流れる電流の加算値又は減算値によりフォーカス方向の駆動が、上記第１ワイヤと上記第２ワイヤに流れる電流の減算値又は加算値によりチルト角方向の駆動が、上記第３ワイヤに流れる電流によりトラック方向の駆動が可能となる。
【００１６】
さらに望ましくは、上記複数のコイルは同じ大きさの角型扁平コイルにすると良い。大きさを統一することで部品コストのより低減を図ることができ、角型コイルを用いることで円形コイルに比べて小さな面積でより大きく且つ安定した駆動力を得ることが出来る。
【００１７】
【発明の実施の形態】
以下、本発明の実施の形態を図面に基づいて説明する。
図１は本発明の実施例の光ヘッドの対物レンズ駆動装置を示す分離斜視図、図２はこの駆動装置の平面図である。
この実施の形態の対物レンズ駆動装置は、例えばＤＶＤ−ＲやＤＶＤ−ＲＷなどの記録可能なＤＶＤ（デジタル多用途ディスク）ドライブ装置において、光ヘッド（光ピックアップとも云う）の対物レンズを光のフォーカス方向Ｆ、ディスク上のデータ列と直交するディスクの半径方向（トラック方向）Ｔｒ、ディスクの半径方向の傾きに相当するチルト角方向Ｔｉに微小な駆動を行って三軸方向の補正を行うものである。
【００１８】
この実施形態の対物レンズ駆動装置は、対物レンズ１１、対物レンズ１１を保持するレンズホルダ１２、レンズホルダ１２の一方の側面１２ａと反対側の側面１２ｂにそれぞれ３個ずつ固着される角型扁平コイルＦ１１，Ｆ２１，Ｔｒ１，Ｆ１２，Ｆ２２，Ｔｒ２、レンズホルダ１２を支持するとともに各コイルに電流を供給する４本のワイヤＷ１〜Ｗ４、これら４本のワイヤＷ１〜Ｗ４が固着されるワイヤ基板２０、コイルが設けられるレンズホルダ１２の側面に対向配置される２つの磁石３１，３２、磁石を保持する磁石ホルダ３０、および、磁石ホルダ３０やワイヤ基板２０が固着されるベース枠４０等を備えている。
【００１９】
レンズホルダ１２には、ワイヤＷ１，Ｗ２が配線接続されたプリント基板１３ａとワイヤＷ３，Ｗ４が配線接続されたプリント基板１３ｂが凹部に嵌め込まれ、それによりワイヤＷ１〜Ｗ４とレンズホルダ１２とが適宜な位置で固着され、さらに、ワイヤＷ１〜Ｗ４とレンズホルダ１２内の配線とが電気的に接続されるようになっている。
【００２０】
ワイヤＷ１〜Ｗ４は、図２にも示すように、レンズホルダ１２から斜めに延びてその一端がワイヤ基板２０に半田付けされるようになっている。ワイヤ基板２０にはワイヤＷ１〜Ｗ４の通過する範囲に共振防止用の緩衝ゲルが充填されるゲルボックス２２が設けられ、ワイヤＷ１〜Ｗ４はこの緩衝ゲル（図示略）の中を通過して共振防止が図られている。
【００２１】
角型扁平コイルＦ１１，Ｆ２１，Ｔｒ１，Ｆ１２，Ｆ２２，Ｔｒ２は、正方形の各辺に沿った向きに導線が巻かれてなる薄型のコイルで、大きさや巻き数などは何れのコイルも同一である。
【００２２】
磁石３１，３２は、それぞれ直方体形状の１個の強磁性体からなり、コイルに対向する面が４つの領域に分けられ各領域にＮ極とＳ極が交互に現れるように磁化されている。なお、４つの磁石を用いて同様の磁場が形成されるように構成することも出来る。
【００２３】
図３には、角型扁平コイルと磁石に現れる各磁極の配置関係を説明する図を示す。同図（ａ）は磁石のレンズホルダ１２と対向する面の正面図、（ｂ）は角型扁平コイルの磁石と対向する面の正面図、（ｃ）は両者が対向するときの向きを表わした分離斜視図である。図４には、レンズホルダ１２のコイルＦ１１，Ｆ２１，Ｔｒ１が固着された部分を側方から眺めた図を示す。
【００２４】
図３（ｂ）に示されるように、レンズホルダ１２の一方の側面１２ａにおいては、第１コイルＦ１１と第２コイルＦ２１とが僅かな間隔を開けて左右対称な位置で且つ下方（フォーカス方向の逆方向）に偏移した位置に取り付けられる。第３コイルＴｒ１は第１コイルＦ１１と第２コイルＦ２１の互いの中心を結ぶ直線と重ならないようにこれらコイルＦ１１，Ｆ２１の中央位置より上方に偏移した位置に取り付けられる。
【００２５】
この場合、第１コイルＦ１１と第３コイルＴｒ１の取付範囲、ならびに、第２コイルＦ２１と第３コイルＴｒ１の取付範囲は一部重複することになるが、前後に重ねることで取付け可能である。この重なりによりレンズホルダ１２の側面１２ａの面積が小さな場合でも面積の大きなコイルを取り付けることが出来るという利点が得られる。この場合、前方に重ねられる第３コイルＴｒ１は、その裏側に段差を埋めるための敷板１２ｄを介してレンズホルダ１２の側面１２ａに固着される。
【００２６】
磁石３１は、図３（ａ）や（ｃ）に示されるように、第１コイルＦ１１と第２コイルＦ２１の両中心点を結ぶ直線Ａと対向するｘ軸と、第３コイルＴｒ１の中心を通り直線Ａと直交する直線Ｂと対向するｙ軸とにより４つの領域に分割され、且つ、隣り合う領域が異極となるように４つの領域にＮ極とＳ極が現れるようになっている。
【００２７】
このような構成により、例えば第１コイルＦ１１に右回転の電流が、第２コイルＦ２１に左回転の電流がそれぞれ流れることで下方の駆動力が発生し、これらと逆の電流が流れることで上方の駆動力が発生する。これによりフォーカス方向の位置補正が実現される。
【００２８】
また、第１コイルＦ１１と第２コイルＦ２１に右回転の電流が流れることで、左側が下がり右側が上がるような駆動力が発生し、これらと逆の電流が流れることで左側が上がり右側が下がるような駆動力が発生する。これによりチルト角の補正が実現される。
【００２９】
さらに、第３コイルＴｒ１に右回転の電流が流れることで右方向の駆動力が発生し、逆の電流が流れることで左方向の駆動力が発生する。これによりトラック方向の位置補正が実現される。
【００３０】
図２に示されるように、レンズホルダ１２の反対側の側面１２ｂにも、側面１２ａ側と面対称な配置で第１コイルＦ１２、第２コイルＦ２２、および第３コイルＴｒ２が設けられる一方、それに対応して反対側の磁石３２にも磁石３１と面対称な配置の磁極が形成されている。
【００３１】
なお、磁極と電流の方向とを共に逆にすることで同じ方向の運動が得られることから、磁石３１の磁極とそれに対向して設けられた各コイルＦ１１，Ｆ２１，Ｔｒ１の電流の向きとを共に逆にしても、同様の駆動を得ることが出来る。反対側の磁石３２の磁極とそれに対向するコイルＦ１２，Ｆ２２，Ｔｒ２についても同様である。
【００３２】
また、第１コイルＦ１１や第２コイルＦ２１および第３コイルＴｒ１の配置も、第１コイルＦ１１および第２コイルＦ２１を上側に、第３コイルＴｒ１を下側に配置するとともに、磁石の磁極が現れる各領域もそれに合わせて上下を逆転させることで同様の駆動を行うことが出来る。
【００３３】
図５には、レンズホルダに設けられる角型扁平コイルとワイヤの接続関係を表わす回路図の一例を示す。
上記レンズホルダ１２に取り付けられる６個のコイルＦ１１，Ｆ２１，Ｔｒ１，Ｆ１２，Ｆ２２，Ｔｒ２は、それぞれ一方の側面１２ａと他方の側面１２ｂとに面対称な位置に設けられる２個が１組とされて、これら２個１組のコイルが同じワイヤ間に接続されるようになっている。すなわち、各側面１２ａ，１２ｂにそれぞれ１個ずつ設けられた第１コイルＦ１１とＦ１２（第１系統のコイル）が第１ワイヤＷ１とコモンワイヤＷ４の間に直列に接続され、同様に第２コイルＦ２１とＦ２２（第２系統のコイル）が第２ワイヤＷ２とコモンワイヤＷ４の間に直列に接続され、第３コイルＴｒ１とＴｒ２（第３系統のコイル）が第３ワイヤＷ３とコモンワイヤＷ４の間に直列に接続される。
【００３４】
４本のワイヤのうち第１ワイヤＷ１、第２ワイヤＷ２、第３ワイヤＷ３には、出力電流をコントロールする出力回路が接続されており、それによりこれらのワイヤＷ１〜Ｗ３にそれぞれ流れる電流Ｉｆ１，Ｉｆ２，Ｉｔｒが制御可能になっている。コモンワイヤＷ４には例えばグランド電位が接続されて、第３ワイヤＷ３と第１ワイヤＷ１と第２ワイヤＷ２の電流を流すようになっている。
【００３５】
このような配線によれば、ワイヤＷ１とワイヤＷ２とに流れる電流Ｉｆ１，Ｉｆ２の加算電流（Ｉｆ１＋Ｉｆ２）によりフォーカス方向の駆動量が、ワイヤＷ１とワイヤＷ２とに流れる電流Ｉｆ１，Ｉｆ２の差分電流（Ｉｆ１−Ｉｆ２）によりチルト角方向の駆動量が、ワイヤＷ３に流れる電流Ｉｔｒによりトラック方向の駆動量が、それぞれ制御可能になっている。上記の加算電流と差分電流は第１ワイヤＷ１と第２ワイヤＷ２に流れる各電流Ｉｆ１，Ｉｆ２によりそれぞれ独立して変化させることが出来るので、３つの電流Ｉｆ１，Ｉｆ２，Ｉｔｒによりフォーカス方向、チルト角方向、およびトラック方向の各駆動をそれぞれ独立して行うことが可能である。
【００３６】
なお、第１コイルＦ１１，Ｆ１２の巻線の巻き方向を共に逆転させたり、或いはワイヤＷ１とコモンワイヤＷ４と接続される端子を互い違いに入れ替えることにより、第１コイルＦ１１，Ｆ１２に流れる電流の向きが共に逆転するので、上記の加算電流（Ｉｆ１＋Ｉｆ２）によりチルト角方向の駆動が、差分電流（Ｉｆ１−Ｉｆ２）によりフォーカス方向の駆動が行えることとなる。第２コイルＦ２１，Ｆ２２についても同様のことが云える。すなわち、何れの配線方式としても良く、同様に三軸の駆動制御が可能である。
【００３７】
以上のように、この実施の形態の光ヘッドの対物レンズ駆動装置によれば、レンズホルダ１２に設けた６個の角型扁平コイルＦ１１，Ｆ１２，Ｆ２１，Ｆ２２，Ｔｒ１，Ｔｒ２とそれに対向配置される磁石３１，３２によりフォーカス方向、トラック方向、チルト角方向の三軸駆動が行えるので、三軸補正の可能な対物レンズ駆動装置をコンパクトに且つ廉価に構成することが出来る。
【００３８】
さらに、レンズホルダ１２に取り付けられる複数のコイルはすべて同一構成とすることが出来るので、それにより部品コストも抑えて、低コスト化を達成することが出来る。
【００３９】
また、三軸駆動を行うのに必要な配線が４本で済み、レンズホルダ１２を支持するワイヤを４本とすることが出来るので、組立工程を比較的容易にすることが可能であり、その場合でも安定した動作特性を得ることが出来る。
【００４０】
また、この実施の形態の対物レンズ駆動装置は、磁石ホルダ３０等に磁石から伸びる磁力線をより垂直にするためのヨーク（ヨーク３０Ａ，３０Ｂを有する場合の図７を参照）を持たず、それによりレンズホルダ１２をシンプルな構造にすることが出来るため、レンズホルダ１２の副次共振周波数を高くすることができ、副次的な共振の発生を抑えることが出来る。
【００４１】
＜変形例＞
図６には、レンズホルダに固着される角型扁平コイルの他の配置例を示す。同図（ａ）は磁石のレンズホルダ１２と対向する面の正面図、（ｂ）は角型扁平コイルの磁石と対向する面の正面図である。
【００４２】
図１〜図５の実施例では、レンズホルダ１２の一側面に設けられる３つの角型扁平コイルを一部重ねて取り付けた例を示したが、図６に示すように、重なり部分が生じないように配置しても良い。この場合、レンズホルダ１２の側面１２ａの面積が同一であれば、図３の場合に比べて角型扁平コイルＴｒ１Ｂ，Ｆ１１Ｂ，Ｆ２１Ｂの大きさを幾分小さくしなければならないが、３つのコイルＴｒ１Ｂ，Ｆ１１Ｂ，Ｆ２１Ｂを均等に磁石３１Ｂに接近させることが出来るという利点がある。
【００４３】
図７には、本発明に係る対物レンズ駆動装置のその他の実施例を示す。図８は、ヨーク３０Ａ，３０Ｂの作用を説明するもので図７の矢印Ａの方向に眺めた側面図である。
【００４４】
図１の実施例では、磁石３１，３２から伸びる磁力線をより垂直にするためのヨークを設けていなかったが、図７に示すように、磁石ホルダ３０にヨーク３０Ａ，３０Ｂを設ける一方、レンズホルダ１２のヨーク３０Ａ，３０Ｂが通る部分に貫通孔１２Ｃ，１２Ｄを設けた構造とすることも出来る。この場合、磁石ホルダ３０は磁性体により構成する。
【００４５】
本発明に係る実施形態の場合、レンズホルダ１２は水平方向の断面形状で横幅（コイルのある上辺と下辺に沿った左右方向の幅）が長く、縦幅が狭くなる。そのため、ヨーク３０Ａ，３０Ｂは対物レンズ１１の左右に位置するように設けると良く、それによりレンズホルダ１２の水平断面形状を変化させることなくヨーク３０Ａ，３０Ｂを付加することが出来る。
【００４６】
このようにヨーク３０Ａ，３０Ｂを設けることで、図８に示すように、磁石３１，３２から伸びる磁力線をヨークが無い場合よりも垂直にすることができ、それにより、電流Ｉｆ１，Ｉｆ２，Ｉｔｒによる駆動制御を安定化させ且つその駆動力を大きくすることが出来る。
【００４７】
なお、本発明は、上記実施の形態に限られるものではなく、様々な変更が可能である。例えば、ワイヤＷ３の電流が流される第３系統のコイルとして、コイルＴｒ１とＴｒ２をレンズホルダ１２の２つの側面１２ａ，１２ｂに設けたが、１個のコイルを省いて一方の側面に１個のみ設けるようにしても良い。或いは、一方の側面に同様の方向に駆動力が働くように２個設けることも可能である。ワイヤＷ１の電流が流される第１系統のコイルＦ１１，Ｆ１２や、ワイヤＷ２の電流が流される第２系統のコイルＦ２１，Ｆ２２についても同様である。
【００４８】
また、上記の実施の形態では、本発明をＤＶＤドライブに搭載される光ヘッドの対物レンズ駆動装置に適用した場合について説明したが、その他、光磁気ディスクの光ヘッドの対物レンズ駆動装置や、青紫レーザを用いて記録と再生を行うディスクドライブに搭載される光ヘッドの対物レンズ駆動装置など、種々のディスク駆動装置に適用することが出来る。
【００４９】
【発明の効果】
以上説明したように、本発明に従うと、レンズホルダに設けられるコイルと外側に設けられる磁石とで三軸駆動が可能であり、且つレンズホルダを４本のワイヤの支持構成とすることができ、それにより、光ヘッドのコンパクト化および製造コストの低減が図れ、且つ、安定した動作特性を得ることが出来るという効果がある。
【００５０】
さらに、レンズホルダに設けるコイルを同一構成として部品コストの低減によるさらなる製造コストの低減を図ることが出来るという効果がある。
【図面の簡単な説明】
【図１】本発明の実施例の対物レンズ駆動装置を示す分離斜視図である。
【図２】図１の対物レンズ駆動装置の平面図である。
【図３】レンズホルダに固着される角型扁平コイルと磁石に現れる各磁極の配置関係を説明する図で、（ａ）は角型扁平コイルの磁石と対向する面の正面図、（ｂ）は磁石の対向する面の正面図、（ｃ）は両者が対向するときの向きを表わした分離斜視図である。
【図４】レンズホルダの角型扁平コイルが固着された部分を側方から眺めた図である。
【図５】レンズホルダに設けられる角型扁平コイルとワイヤの接続関係を説明する回路図の一例である。
【図６】レンズホルダに固着される角型扁平コイルの他の配置例を説明する正面図である。
【図７】本発明に係る対物レンズ駆動装置の変形例を示す分離斜視図である。
【図８】ヨークの作用を説明するもので図７の矢印Ａの方向に眺めた側面図である。
【符号の説明】
１１    対物レンズ
１２    レンズホルダ
３１，３２  磁石
Ｗ１〜Ｗ４  ワイヤ
Ｆ１１，Ｆ１２  第１系統のコイル
Ｆ２１，Ｆ２２  第２系統のコイル
Ｔｒ１，Ｔｒ２  第３系統のコイル
【図１】
2004326885.tif 000003
【図２】
2004326885.tif 000004
【図３】
2004326885.tif 000005
【図４】
2004326885.tif 000006
【図５】
2004326885.tif 000007
【図６】
2004326885.tif 000008
【図７】
2004326885.tif 000009
【図８】
2004326885.tif 000010